【手続補正書】
【提出日】平成26年7月28日(2014.7.28)
【手続補正１】
【補正対象書類名】明細書
【補正対象項目名】０１２１
【補正方法】変更
【補正の内容】
【０１２１】
本明細書に引用したすべての参照文献及び刊行物は、本開示と直接矛盾し得る場合を除いて、それらの全容を本開示に明確に援用するものである。以上、本明細書において特定の実施形態について図示及び説明してきたが、当業者であれば、本開示の範囲から逸脱することなく、様々な代替的及び／又は同等の実施形態を、図示及び説明した特定の実施形態に置き換えることが可能である点は認識されるであろう。本出願は、本明細書において考察した特定の実施形態のあらゆる適合形態又は変形形態を網羅するものである。したがって、本開示は特許請求の範囲及びその均等物によってのみ限定されるものとする。本発明の実施形態の一部を以下の項目１−３５に記載する。
［１］
集光式昼光集光器であって、
太陽光を受光するための第１の開口部と、太陽光の伝送のための反対側の第２の開口部と、を含む、収集部分と、
受光された太陽光を前記反対側の第２開口部に向けるための、前記第１の開口部に隣接して配設された複数の可動性反射羽根と、
前記反対側の第２の開口部を通過する前記太陽光の大部分を、放物面反射装置の焦点に隣接して配設された双曲面反射装置に向かって反射するために配設された放物面反射装置と、
前記双曲面反射装置から反射された太陽光を受け取るために配設された出力開口部と、を含む、集光式昼光集光器。
［２］
前記収集部分が円筒を含む、項目１に記載の集光式昼光集光器。
［３］
前記収集部分及び前記放物面反射装置のうちの少なくとも１つが、共通軸の周りで回転する、項目１に記載の集光式昼光集光器。
［４］
前記収集部分が共通軸の周りで回転し、前記放物面反射装置が固定されている、項目１に記載の集光式昼光集光器。
［５］
前記第１の開口部が、９０度未満の角度で、前記収集部分の中心軸に交差する、項目１に記載の集光式昼光集光器。
［６］
前記角度が約２０度〜約７０度である、項目５に記載の集光式昼光集光器。
［７］
前記角度が７０度である、項目５に記載の集光式昼光集光器。
［８］
前記第１の開口部を少なくとも部分的に取り囲む保護カバーを更に含む、項目１に記載の集光式昼光集光器。
［９］
前記保護カバーが光学的に透明な材料を含む、項目８に記載の集光式昼光集光器。
［１０］
前記保護カバーが平坦な表面又はドーム型表面を含む、項目８に記載の集光式昼光集光器。
［１１］
前記放物面反射装置及び前記双曲面反射装置が、約２：１〜約１００：１の組み合わされた集光比を有する、項目１に記載の集光式昼光集光器。
［１２］
前記出力開口部を通して伝送された前記太陽光が、少なくとも部分的にコリメートされている、項目１に記載の集光式昼光集光器。
［１３］
前記出力開口部を通して伝送された前記太陽光が、約２０度以下のコリメーション半角を有する、項目１に記載の集光式昼光集光器。
［１４］
前記複数個の可動性反射羽根のそれぞれが、前記中心軸に直交する羽根回転軸を含む、項目５に記載の集光式昼光集光器。
［１５］
前記複数個の可動性反射羽根のそれぞれが、隣接する羽根に対して平行である、項目１に記載の集光式昼光集光器。
［１６］
集光式昼光集光器であって、
入力領域を通して第１の太陽光線を受光し、反射された第２の太陽光線を第１の出力領域に向けるよう構成された太陽光収集部分であり、前記反射された第２の太陽光線が、実質的に前記太陽光収集部分の中心軸に対して平行であるような太陽光収集部分と、
前記第１の出力領域に隣接して配設されており、前記反射された第２の太陽光線を受光し、第１の集光装置表面から反射し、かつ第２の集光装置表面から反射するよう構成された太陽光集光部分であり、これによって、前記第１の出力領域よりも小さい出力開口部に向けられた集光された太陽光線を形成する太陽光集光部分と、を含む、集光式昼光集光器。
［１７］
前記太陽光収集部分が円筒形状を備える、項目１６に記載の集光式昼光集光器。
［１８］
前記第１の集光装置表面が反射放物面表面を備える、項目１６に記載の集光式昼光集光器。
［１９］
前記第２の集光装置表面が反射双曲面表面を備える、項目１６に記載の集光式昼光集光器。
［２０］
前記入力領域が、第１の複数個の可動性反射羽根を備える、項目１６に記載の集光式昼光集光器。
［２１］
前記第１の複数個の可動性反射羽根のそれぞれが、前記中心軸に直交する第１の羽根回転軸を含む、項目２０に記載の集光式昼光集光器。
［２２］
前記第１の複数個の可動性反射羽根のそれぞれが、隣接する羽根に対して平行である、項目２１に記載の集光式昼光集光器。
［２３］
前記入力領域と前記中心軸との間の角度が、約２０度〜約６０度である、項目１６に記載の集光式昼光集光器。
［２４］
前記太陽光収集部分又は前記太陽光集光部分のうちの少なくとも１つが、前記中心軸の周りで回転することが可能である、項目１６に記載の集光式昼光集光器。
［２５］
前記出力開口部に対する前記第１の出力領域の面積比が、約１０を超えかつ約１００未満である、項目１６に記載の集光式昼光集光器。
［２６］
前記集光された太陽光線が、約２０度以下のコリメーション半角を有する、項目１６に記載の集光式昼光集光器。
［２７］
前記入力領域を少なくとも部分的に取り囲む保護カバーを更に備える、項目１６に記載の集光式昼光集光器。
［２８］
前記入力領域と前記第１の出力領域との間に配設された、第２の複数個の可動性羽根を更に備える、項目１６に記載の集光式昼光集光器。
［２９］
前記第２の複数個の可動性羽根のそれぞれが、前記中心軸に直交し、前記第１の羽根回転軸に対して平行である第２の羽根回転軸を含む、項目２８に記載の集光式昼光集光器。
［３０］
前記第２の複数個の可動性羽根のそれぞれが、前記中心軸に直交し、前記第１の羽根回転軸に直交する第２の羽根回転軸を含む、項目２８に記載の集光式昼光集光器。
［３１］
前記出力開口部からの前記太陽光が、反射ダクトの入口開口部内に伝送される、項目１又は１６に記載の集光式昼光集光器。
［３２］
前記出力開口部からの前記太陽光が、光電池上に伝送される、項目１又は１６に記載の集光式昼光集光器。
［３３］
前記出力開口部からの前記太陽光が、熱変換装置上に伝送される、項目１又は１６に記載の集光式昼光集光器。
［３４］
人工光源が、反射ダクトの第２の入口開口部内に伝送される、項目３１に記載の集光式昼光集光器。
［３５］
前記人工光源が、前記ダクト内において均一の光束を維持するようプログラム可能である、項目３４に記載の集光式昼光集光器。
【手続補正２】
【補正対象書類名】特許請求の範囲
【補正対象項目名】全文
【補正方法】変更
【補正の内容】
【特許請求の範囲】
【請求項１】
集光式昼光集光器であって、
太陽光を受光するための第１の開口部と、太陽光の伝送のための反対側の第２の開口部と、を含む、収集部分と、
受光された太陽光を前記反対側の第２開口部に向けるための、前記第１の開口部に隣接して配設された複数の可動性反射羽根と、
前記反対側の第２の開口部を通過する前記太陽光の大部分を、放物面反射装置の焦点に隣接して配設された双曲面反射装置に向かって反射するために配設された放物面反射装置と、
前記双曲面反射装置から反射された太陽光を受け取るために配設された出力開口部と、を含む、集光式昼光集光器。
【請求項２】
集光式昼光集光器であって、
入力領域を通して第１の太陽光線を受光し、反射された第２の太陽光線を第１の出力領域に向けるよう構成された太陽光収集部分であり、前記反射された第２の太陽光線が、実質的に前記太陽光収集部分の中心軸に対して平行であるような太陽光収集部分と、
前記第１の出力領域に隣接して配設されており、前記反射された第２の太陽光線を受光し、第１の集光装置表面から反射し、かつ第２の集光装置表面から反射するよう構成された太陽光集光部分であり、これによって、前記第１の出力領域よりも小さい出力開口部に向けられた集光された太陽光線を形成する太陽光集光部分と、を含む、集光式昼光集光器。